(57)【特許請求の範囲】
【請求項１】
筆記動作において筆記を被るシートである被筆記部と、
前記被筆記部を収納する中空部と、前記中空部に収納された前記被筆記部を外部へ引き出し可能とする開口部とを有するケースである収納部と、
前記収納部をユーザの手首に装着するバンドまたは粘着体である装着部と
を備え、
前記収納部が前記装着部によりユーザの手首に装着されている状態において、前記被筆記部は当該ユーザの手首の円周方向に沿って引き出され、
前記被筆記部に連結された第１の係合部と、前記収納部の前記開口部が配置されている側部に対向する側部に連結された第２の係合部とを備え、
前記収納部が前記装着部によりユーザの手首に装着され前記被筆記部が当該ユーザの手首の円周方向に沿って引き出されている状態において前記第１の係合部と前記第２の係合部が互いに係合されることにより、前記被筆記部が当該ユーザの手首上において安定する
メモ用具。
【請求項２】
前記収納部の内部に、前記被筆記部を巻き取るための巻き取り機構を備える
請求項１に記載のメモ用具。
【請求項３】
前記被筆記部は、前記巻き取り機構により前記収納部の内部に巻き取られる方向に付勢されている
請求項２に記載のメモ用具。
【請求項４】
前記付勢を抑制する抑制機構を備えている
請求項３に記載のメモ用具。
【請求項５】
前記被筆記部は、前記筆記動作において筆記具が触れる紙と、前記紙の筆記具が触れる面と反対側の面に接し前記筆記動作において前記紙を支持するベースシートとを有する
請求項１乃至４のいずれか１項に記載のメモ用具。
【請求項６】
前記被筆記部は、ロール紙を有する
請求項１乃至４のいずれか１項に記載のメモ用具。
【請求項７】
前記被筆記部は、ホワイトボードシートを有する
請求項１乃至４のいずれか１項に記載のメモ用具。
【請求項８】
前記被筆記部は、前記筆記動作における筆跡を認識し、認識した筆跡を示す筆跡データを生成するセンサである筆跡データ生成部を有し、
前記筆跡データ生成部により生成された筆跡データを記憶する記憶部と、
前記記憶部に記憶されている筆跡データが示す筆跡を表示する表示部とを備える
請求項１乃至４のいずれか１項に記載のメモ用具。
【請求項９】
ユーザの生体から当該ユーザ固有の生体情報を取得し、取得した生体情報を示す生体特徴データを生成するセンサである生体特徴データ生成部を備え、
前記記憶部は正当なユーザの生体から得られた当該正当なユーザ固有の生体情報を示す参照用の生体特徴データを記憶し、
前記生体特徴データ生成部により生成された生体特徴データと前記記憶部に記憶されている前記参照用の生体特徴データとを照合することにより現在のユーザが前記正当なユーザであるか否かを判定する本人認証部を備え、
前記表示部は、前記本人認証部により現在のユーザが前記正当なユーザであると判定された場合に限り、前記記憶部に記憶されている筆跡データが示す筆跡を表示する
請求項８に記載のメモ用具。
【請求項１０】
前記筆記動作に用いられる筆記具を着脱可能に備える
請求項１乃至９のいずれか１項に記載のメモ用具。
【請求項１１】
時計、電卓、およびタイマーのうち１以上を備える
請求項１乃至１０のいずれか１項に記載のメモ用具。
【請求項１２】
前記収納部は、時計、電卓、およびタイマーのうち１以上の機能を備える電子デバイスを着脱可能に保持する保持機構を有する
請求項１乃至１０のいずれか１項に記載のメモ用具。
【発明の詳細な説明】
【技術分野】
【０００１】
本発明は、例えば一般事務等の現場において用いられるメモ用具に関する。
【背景技術】
【０００２】
メモ用具、すなわち一般事務等の現場においてメモを書き留めるための用具として、古くからメモ用紙が用いられ、近年では付箋紙も広く利用されている。付箋紙は、書き留めたメモの内容を一時的に壁など目に付くところに貼っておく際に便利である。
【０００３】
特許文献１には、常時、付箋紙に書き留めたメモの内容を掲示可能とするメモ用具として、付箋紙を収容するビニールケースの取り付けられたリストバンドが提案されている。
【先行技術文献】
【特許文献】
【０００４】
【特許文献１】特開２００５−２０６９９６号公報
【発明の概要】
【発明が解決しようとする課題】
【０００５】
多くの人が、ふとかかってきた電話の内容をメモとして書き留めたいがメモ用紙が見つからずに困ったという経験をしている。
【０００６】
また、病院で病床を巡回しながら様々な業務を行う必要がある看護師等の医療従事者や、ツアー客に伴い旅行をしつつ様々な業務を行う必要があるツアーコンダクターなどは、片手がふさがった状態でメモを書き留めたい、時間を短縮したい、といった理由のために、メモ用紙をポケット等に出し入れすることに煩わしさと感じている。
【０００７】
現状では、上述したような状況において、自分の手にメモを書き留める人も多い。
【０００８】
手にメモを書き留める場合、筆記具によっては書きにくい、手が汚れる、といった問題が生じる。さらに、特に医療情報など秘匿すべき情報を扱う可能性の高い医療従事者などが手にメモを書き留めることは、書き留めたメモの内容が容易に他人に見られてしまう可能性があるため、情報セキュリティの観点からも望ましくない。そのため、従業員に対し手にメモを書き留めることを禁じている医療機関等もある。
【０００９】
本発明は、上述した事情に鑑み、快適にメモを書き留めることを可能とするとともに、書き留めたメモの内容を他人に容易に見られることを防止できるメモ用具を提供することを目的とする。
【課題を解決するための手段】
【００１０】
上記の目的を達成するため、本発明は、
筆記動作において筆記を被るシートである被筆記部と、
前記被筆記部を収納する中空部と、前記中空部に収納された前記被筆記部を外部へ引き出し可能とする開口部とを有するケースである収納部と、
前記収納部をユーザの手首に装着するバンドまたは粘着体である装着部とを備える
メモ用具を提供する（第１の実施態様）。
【００１１】
また、上記の第１の実施態様において、
前記収納部が前記装着部によりユーザの手首に装着されている状態において、前記被筆記部は当該ユーザの手の甲もしくは手の平の方向に引き出される
構成を採用してもよい（第２の実施態様）。
【００１２】
また、上記の第２の実施態様において、
前記被筆記部に連結されたフックであって、前記収納部が前記装着部によりユーザの手首に装着され前記被筆記部が当該ユーザの手の甲もしくは手の平の方向に引き出されている状態において当該ユーザの指の間に挟まれることにより、もしくは当該ユーザの指に装着されている指輪に引っ掛けられることにより、前記被筆記部を当該ユーザの手の甲もしくは手の平の上において安定させるフックを備える
構成を採用してもよい（第３の実施態様）。
【００１３】
また、上記の第１の実施態様において、
前記収納部が前記装着部によりユーザの手首に装着されている状態において、前記被筆記部は当該ユーザの手首の円周方向に沿って引き出される
構成を採用してもよい（第４の実施態様）。
【００１４】
また、上記の第４の実施態様において、
前記被筆記部に連結された第１の係合部と、前記収納部の前記開口部が配置されている側部に対向する側部に連結された第２の係合部とを備え、
前記収納部が前記装着部によりユーザの手首に装着され前記被筆記部が当該ユーザの手首の円周方向に沿って引き出されている状態において前記第１の係合部と前記第２の係合部が互いに係合されることにより、前記被筆記部が当該ユーザの手首上において安定する
構成を採用してもよい（第５の実施態様）。
【００１５】
また、上記の第１乃至５のいずれかの実施態様において、
前記収納部の内部に、前記被筆記部を巻き取るための巻き取り機構を備える
構成を採用してもよい（第６の実施態様）。
【００１６】
また、上記の第６の実施態様において、
前記被筆記部は、前記巻き取り機構により前記収納部の内部に巻き取られる方向に付勢されている
構成を採用してもよい（第７の実施態様）。
【００１７】
また、上記の第７の実施態様において、
前記付勢を抑制する抑制機構を備えている
構成を採用してもよい（第８の実施態様）。
【００１８】
また、上記の第１乃至８のいずれかの実施態様において、
前記被筆記部は、前記筆記動作において筆記具が触れる紙と、前記紙の筆記具が触れる面と反対側の面に接し前記筆記動作において前記紙を支持するベースシートとを有する
構成を採用してもよい（第９の実施態様）。
【００１９】
また、上記の第１乃至８のいずれかの実施態様において、
前記被筆記部は、ロール紙を有する
構成を採用してもよい（第１０の実施態様）。
【００２０】
また、上記の第１乃至８のいずれかの実施態様において、
前記被筆記部は、ホワイトボードシートを有する
構成を採用してもよい（第１１の実施態様）。
【００２１】
また、上記の第１乃至８のいずれかの実施態様において、
前記被筆記部は、前記筆記動作における筆跡を認識し、認識した筆跡を示す筆跡データを生成するセンサである筆跡データ生成部を有し、
前記筆跡データ生成部により生成された筆跡データを記憶する記憶部と、
前記記憶部に記憶されている筆跡データが示す筆跡を表示する表示部とを備える
構成を採用してもよい（第１２の実施態様）。
【００２２】
また、上記の第１２の実施態様において、
ユーザの生体から当該ユーザ固有の生体情報を取得し、取得した生体情報を示す生体特徴データを生成するセンサである生体特徴データ生成部を備え、
前記記憶部は正当なユーザの生体から得られた当該正当なユーザ固有の生体情報を示す参照用の生体特徴データを記憶し、
前記生体特徴データ生成部により生成された生体特徴データと前記記憶部に記憶されている前記参照用の生体特徴データとを照合することにより現在のユーザが前記正当なユーザであるか否かを判定する本人認証部を備え、
前記表示部は、前記本人認証部により現在のユーザが前記正当なユーザであると判定された場合に限り、前記記憶部に記憶されている筆跡データが示す筆跡を表示する
構成を採用してもよい（第１３の実施態様）。
【００２３】
また、上記の第１乃至１３のいずれかの実施態様において、
前記筆記動作に用いられる筆記具を着脱可能に備える
構成を採用してもよい（第１４の実施態様）。
【００２４】
また、上記の第１乃至１４のいずれかの実施態様において、
時計、電卓、およびタイマーのうち１以上を備える
構成を採用してもよい（第１５の実施態様）。
【００２５】
また、上記の第１乃至１４のいずれかの実施態様において、
前記収納部は、時計、電卓、およびタイマーのうち１以上の機能を備える電子デバイスを着脱可能に保持する保持機構を有する
構成を採用してもよい（第１６の実施態様）。
【発明の効果】
【００２６】
本発明の第１の実施態様にかかるメモ用具によれば、例えばメモ用具を装着している手が塞がっているような場合や、ポケットからメモ用紙を取り出すことが煩わしいような状況においても、筆記具さえあれば、すぐさまメモを書き留めることができる。その後、メモの内容が書き留められた被筆記部が収納部に収納されるため、収納部が透明ケース等でない限り、メモの内容が容易に他人から見られることがなく、情報セキュリティ上の問題を生じない。
【００２７】
また、本発明の第２の実施態様にかかるメモ用具によれば、ユーザは被筆記部を手の甲もしくは手の平の方向に引き出すことで、メモ用具を容易に使用可能な状態にすることができる。
【００２８】
また、本発明の第３の実施態様にかかるメモ用具によれば、引き出した被筆記部をユーザの手の甲もしくは手の平の上において安定させることができるので、筆記の際に被筆記部がずれて文字等を書きにくいという問題が低減される。
【００２９】
また、本発明の第４の実施態様にかかるメモ用具によれば、ユーザは被筆記部を手首の円周方向に沿って引き出すことで、メモ用具を容易に使用可能な状態にすることができる。
【００３０】
また、本発明の第５の実施態様にかかるメモ用具によれば、引き出した被筆記部をユーザの手首の上において安定させることができるので、筆記の際に被筆記部がずれて文字等を書きにくいという問題が低減される。
【００３１】
また、本発明の第６の実施態様にかかるメモ用具によれば、巻き取り機構を備えない場合と比較し引き出される被筆記部の長手方向の長さを長くすることができ、文字等を書く領域を広く確保することができる。
【００３２】
また、本発明の第７の実施態様にかかるメモ用具によれば、巻き取り機構による被筆記部の巻き取りを自動で行わせることが可能となり便利である。
【００３３】
また、本発明の第８の実施態様にかかるメモ用具によれば、被筆記部を引き出したところで巻き取り機構による巻き取りの付勢を抑制することにより、ユーザは希望する位置で被筆記部を定着させることができる。
【００３４】
また、本発明の第９の実施態様にかかるメモ用具によれば、引き出し等に必要な強度がない紙であってもベースシートに取り付けることで、メモの記録媒体として利用することができる。
【００３５】
また、本発明の第１０の実施態様にかかるメモ用具によれば、ロール紙のうち古いメモが書き留められている部分を切り取って、それに続く部分を引き出して使うことにより、被筆記部の取り替えの手間を軽減することができる。
【００３６】
また、本発明の第１１の実施態様にかかるメモ用具によれば、ホワイトボード上に書き留めた文字等を容易に消して再度、新たなメモを書き留めることができるため、被筆記部の取り替えの手間を要さず便利である。
【００３７】
また、本発明の第１２の実施態様にかかるメモ用具によれば、電子的な方法により筆跡を認識しデータとして記憶および表示することが可能なので、被筆記部の取り替えを要しない、筆記された文字等が擦れて不鮮明になるといった問題が生じない、等の利便性がもたらされる。
【００３８】
また、本発明の第１３の実施態様にかかるメモ用具によれば、本人認証機能により正当なユーザのみがメモの内容を閲覧できるので、情報セキュリティの観点から望ましい。
【００３９】
また、本発明の第１４の実施態様にかかるメモ用具によれば、筆記具が着脱可能に備えられているので、メモを取りたい時に筆記具を探す必要がなく便利である。
【００４０】
また、本発明の第１５の実施態様にかかるメモ用具によれば、メモを書き留めることに加え、時間の確認、各種計算および所定時間の経過の確認の少なくとも一つが可能であり便利である。
【００４１】
また、本発明の第１６の実施態様にかかるメモ用具によれば、ユーザは必要に応じて選択した機能を有する電子デバイスをメモ用具に取り付けることができるため、メモ用具が様々な機能を有する電子デバイスを予め備える場合と比較し、コストの低減や軽量化がもたらされるとともに、例えば異なるデザインの電子デバイスを好みに応じて付け替えることもでき、便利である。
【図面の簡単な説明】
【００４２】
【図１】図１は、本発明の第１実施形態にかかるメモ用具の概略図である。
【図２】図２は、図１のメモ用具のＡＡ´線矢視断面図である。
【図３】図３は、図１のメモ用具のＢＢ´線矢視断面図である。
【図４】図４は、本発明の第１実施形態の一変形例にかかるメモ用具におけるロール紙および紙切り具を示した図である。
【図５】図５は、本発明の第１実施形態の一変形例にかかるメモ用具が備える筆記具を示した図である。
【図６】図６は、本発明の第２実施形態にかかるメモ用具の概略図である。
【図７】図７は、本発明の第２実施形態にかかるメモ用具の断面図である。
【発明を実施するための形態】
【００４３】
［１．第１実施形態］
以下、本発明の一具体例である実施形態を図面を用いて説明する。図１は本実施形態にかかるメモ用具１の概略図である。また、図２は本実施形態にかかるメモ用具１のＡＡ´線矢視断面図である。
【００４４】
メモ用具１は、筆記動作において筆記を被るシートである被筆記部１１と、被筆記部１１を収納する中空部Ｓおよび中空部Ｓに収納された被筆記部１１を外部へ引き出し可能とする開口部Ｏを有するケースである収納部１２と、収納部１２をユーザの手首に装着するバンドである装着部１３と、被筆記部１１に連結されたフック１４と、被筆記部１１を巻き取るための巻き取り機構１５と、巻き取り機構１５による付勢を抑制する抑制機構１６と、筆記具１７と、時計１８とを備えている。
【００４５】
被筆記部１１は、図３に示されるように、筆記動作において筆記具（例えば、ボールペンの先端のボール）が触れる紙１１１と、紙１１１において筆記具が触れる面とは反対側の面に接して上述の筆記動作において紙１１１を支持するベースシート１１２とを有する。
【００４６】
紙１１１は、例えば、長手方向の長さが６センチメートルで、当該長手方向と垂直な方向の長さが２．５センチメートルの矩形状の厚さが例えば０．１〜０．３ミリメートル程度の薄いシートである。
【００４７】
ベースシート１１２は、例えば、合成樹脂製の柔軟性の高いシートであり、その厚さは例えば０．１〜０．３ミリメートル程度である。
【００４８】
図３は、本実施形態にかかるメモ用具１のＢＢ´線矢視断面図である。ベースシート１１２は、紙１１１をしっかりと支持することが可能なように、例えば、図３に示されるような（長手方向に垂直な）断面を有している。また、ベースシート１１２の長手方向の長さは、紙１１１の６センチメートルよりも若干長い。すなわち、ベースシート１１２は、例えば、紙１１１における一方の面を完全に覆いつつ支持し、紙１１１における当該一の面とは反対側の他方の面を上述の長手方向の側面から約２ミリメートル覆いつつ支持する。
【００４９】
ベースシート１１２は、上述のように柔軟性が高いので、ベースシート１１２に対する紙１１１の着脱は、ユーザの指による作業によって容易に行うことができる。
【００５０】
ユーザは、紙１１１のベースシート１１２に覆われていない領域に対し、適宜メモを書き込むことが可能である。
【００５１】
なお、後述するように、被筆記部１１は、例えば、手の甲の上に引き出されるか、手の平の上に引き出されて使用されることも想定されるが、本発明はこれに限定されるものではない。すなわち、被筆記部１１は、文字等が筆記される際に、手の甲および手の平以外の部分の上に引き出されてもよい。
【００５２】
収納部１２は、例えば、縦および横の長さが３センチメートルで、高さが１センチメートルの直方体状の形状を有する部材である。また、収納部１２の素材は、例えば合成樹脂である。
【００５３】
収納部１２は、被筆記部１１を収納可能な中空部Ｓおよび被筆記部１１を外部へ引き出し可能とする開口部Ｏを有し、被筆記部１１を中空部Ｓに収納した状態と被筆記部１１を開口部Ｏから外部へ引き出した状態との両方を実現することができる。
【００５４】
収納部１２は、ユーザの手首に装着される場合において、手首の円周上のいかなる位置に配置されてもよい。ただし、以下の説明において、収納部１２はユーザの手首においてユーザの手の甲の側に装着されるものとする。
【００５５】
中空部Ｓは、収納部１２のケース壁面によりその内部に形成される直方体状の空間であり、上述のように被筆記部１１を配置可能であるとともに、後述する巻き取り機構１５を配置することも可能である。
【００５６】
開口部Ｏは、上述のように、収納部１２の中から被筆記部１１を外部に引き出すことを目的として設けられるスリット状の開口部分である。より具体的には、開口部Ｏは、例えば収納部１２がユーザの手首に装着されている状態において、収納部１２におけるユーザの手の甲の側に位置する側面内に設けられている横方向の長さが２．８センチメートルで高さ方向の長さが４ミリメートルの矩形状の孔である。
【００５７】
装着部１３は、例えば、一部の腕時計のバンドに用いられるような合成樹脂製のバンドであり、収納部１２がユーザの手首に装着されている状態において、ユーザの手首の円周方向に巻き付く構成を有している。
【００５８】
装着部１３は、より具体的には、長手方向に細長い２本の略矩形板状の部材から構成され、これら２本の部材の一方の端部のそれぞれが、収納部１２におけるユーザの手首の円周方向の側に位置する側面の各々に取り付けられている。そして、装着部１３の一方の部材の収納部１２に取り付けられていない側の端部に取り付けられている止め金具が、装着部１３の他方の部材に設けられた複数の孔のいずれかと係合されることにより、収納部１２がユーザの手首にしっかりと装着される。
【００５９】
フック１４は、一方の端部が被筆記部１１に連結されており、他方の端部が例えばユーザの指の間に挟むことが可能なように先端が膨らんだような形状を有している。また、フック１４は、例えば合成樹脂製である。
【００６０】
フック１４は、ユーザが被筆記部１１を引き出す際に摘む部分として利用されるとともに、筆記の際に被筆記部１１を手の甲の上で安定させるためにユーザが指の間（例えば、中指と薬指の間）に挟み込む部分として利用される。その際、フック１４の先端が膨らんだような形状を有している部分は、指の間を手の甲から手の平側に通った後、指の腹（手の平側の部分）に接した状態でホールドされる。
【００６１】
巻き取り機構１５は、例えば、被筆記部１１に対し、収納部１２の中に引き込む方向に付勢するゼンマイである。
【００６２】
巻き取り機構１５は、上述のように、中空部Ｓの中に配置されている。より具体的には、収納部１２がユーザの手首に装着されている状態において、中空部Ｓにおけるユーザの手の甲とは反対側の側部付近に、手首の円周方向に沿った方向の直線を軸として被筆記部１１を巻き取り可能に配置されている。
【００６３】
そして、上述のゼンマイの一方の端部が被筆記部１１の一方の端部と連結されていることにより、巻き取り機構１５は、上述のように被筆記部１１を収納部１２の中へ引き込むように付勢し、その結果、被筆記部１１が中空部Ｓの中に配置されることになる。
【００６４】
なお、ベースシート１１２は、上述のように高い柔軟性を備えているので、紙１１１とともに巻き取り機構１５によって巻き取られる。
【００６５】
抑制機構１６は、巻き取り機構１５による巻き取りの付勢を抑制するための機構である。より具体的には、抑制機構１６は、自動巻き取り式の巻き尺に用いられているような、ゼンマイによる巻き取りの付勢を抑制するロック機構と、そのロックを解除するためのボタンとを有している。
【００６６】
抑制機構１６によって、ユーザが被筆記部１１を収納部１２から希望する長さだけ引き出すと被筆記部１１がその状態で固定される。そして、ユーザが抑制を解除するためのボタンを押下すると、引き出されていた被筆記部１１が収納部１２の中へ引き込まれ、巻き取り機構１５により巻き取られる。
【００６７】
上述の巻き取り機構１５によって、ユーザは被筆記部１１を収納部１２の中から引き出して広いスペースにメモを書き留めることができるとともに、メモを書き留め終わった後にはボタンを押下するだけで被筆記部１１を収納部１２内に収納することができる。
【００６８】
筆記具１７は、例えば、比較的小さいボールペンである。例えば、収納部１２におけるユーザの手の甲とは反対側の側面には、中空状の円筒が設けられており、上述のボールペンは不使用時にその円筒に差された状態で保持されている。そして、ユーザは筆記の際、ボールペンを円筒から抜いて使用する。
【００６９】
時計１８は、ユーザに対し時刻の表示等の機能を提供する電子デバイスである。時計１８は、収納部１２における手首と接触しない側、すなわち通常の姿勢をとっているユーザから目視可能な側の面に固着されている。
【００７０】
以上のような構成を有するメモ用具１の使用方法の一例を以下に説明する。
【００７１】
例えば看護師であるユーザが、装着部１３を用いてメモ用具１を左の手首に装着する。この場合、収納部１２は手首における手の甲の側に配置されるものとする。
【００７２】
ユーザが、例えば患者の血圧を一時的にメモしたいとする。この場合、ユーザはフック１４の膨らんだ先端を右手の指で摘んで、膨らんだ先端が左手の中指と薬指の間を通過した後にそれらの指の腹側に接する位置に達するまで引き出した後、それらの指でフック２４を挟み込む。その結果、ユーザの左手の甲の上に被筆記部１１が配置されることになる。
【００７３】
その際、被筆記部１１のユーザから目視可能な側面上には紙１１１が配置されているので、ユーザはメモ用具１の本体から取り外した筆記具１７を用いて、紙１１１に対し患者の血圧等をメモすることができる。
【００７４】
その後、ユーザが抑制機構１６のボタンを押下すると、巻き取り機構１５により被筆記部１１が巻き取られて収納部１２内に収納される。
【００７５】
この状態では紙１１１にメモされた内容は他人に見られることがないので、情報セキュリティの観点からも望ましい。
【００７６】
ユーザが紙１１１に書き留めたメモの内容を見たい場合、ユーザは再び被筆記部１１を引き出せばよい。また、紙１１１に書き留めたメモが不要となれば使用済みの紙１１１をベースシート１１２から取り外して新しい紙１１１をベースシート１１２に取り付けることにより、メモ用具１を繰り返し使用することができる。
【００７７】
以下、本実施形態の変形例について、図面を用いて説明する。なお、以下の説明においては上述した実施形態との差異を中心に記述する。
【００７８】
（変形例１）
本変形例のメモ用具１は、上述した実施形態のメモ用具１が備えるゼンマイを有する巻き取り機構１５の代わりに、手動にて被筆記部１１を巻き取る巻き取り機構を備えている。また、本変形例のメモ用具１においては、被筆記部１１として、紙１１１およびベースシート１１２の代わりにロール紙１１３が用いられる。
【００７９】
図４（ａ）はメモ用具１から取り外された状態のロール紙１１３を、また図４（ｂ）はメモ用具１に取り付けられた状態のロール紙１１３を示している。
【００８０】
図４に示されるように、ロール紙１１３は、トイレットペーパーのように、紙が引き出し可能に巻かれた状態のものである。
【００８１】
ロール紙１１３は、例えば収納部１２がユーザの手首に装着されている状態において、手首の円周方向に巻き取りの軸が沿うように中空部Ｓの中に配置される。そして、ユーザはロール紙１１３の先端付近の部分を中空部Ｓから開口部Ｏを通過して外部に向かう方向に引き出し手の甲の上に配置させることで、筆記可能な状態にすることができる。
【００８２】
この際、図４（ｃ）に示されるように、ロール紙１１３の先端にフック１４が連結された紙切り具１９が取り付けられていれば便利である。すなわち、ロール紙１１３の一部に書き留めたメモが不要となった場合、ユーザはロール紙１１３を適当な長さだけ引き出し、不要な部分を紙切り具１９により切り取ることにより、新たなメモを書き留めることが可能となる。
【００８３】
紙切り具１９は、開いた状態から閉じられる際にロール紙１１３をカットするとともに、閉じられた状態でロール紙１１３の端部をホールドする。そのため、ユーザがフック１４を引くと、それにともない紙切り具１９にホールドされたロール紙１１３が引き出されることになる。
【００８４】
また、ユーザはメモを書き留めた後、引き出されているロール紙１１３を収納部１２に収納したい場合、例えば手動の巻き取り機構が備えるハンドルを回転させる。巻き取り機構のハンドルにはロール紙１１３の芯部が連結されており、ユーザによるハンドルの回転に応じて芯部が回転することにより、ロール紙１１３の巻き取りが行われる。
【００８５】
（変形例２）
本変形例においては、被筆記部１１としてホワイトボードシート１１４が用いられる。
【００８６】
筆記具１７のペン先は、ホワイトボードシート１１４に文字等を書くことができるような、例えばフェルトが素材として用いられる。
【００８７】
図５に示されるように、筆記具１７の後端部には例えば合成樹脂製のスポンジ状素材やフェルト等の素材のイレーサが取り付けられており、ユーザはホワイトボードシート１１４の表面にそのイレーサを擦りつけることにより容易に不要なメモを消すことができる。
【００８８】
［２．第２実施形態］
以下、上述の第１実施形態とは異なる本発明の他の具体例を第２実施形態として、図面を用いて説明する。図６は第２実施形態にかかるメモ用具２の概略図である。また、図７はメモ用具２の断面図である。
【００８９】
メモ用具２は、筆記動作において筆記を被るシートである被筆記部２１と、被筆記部２１を収納する中空部Ｓおよび中空部Ｓに収納された被筆記部２１を外部へ引き出し可能とする開口部Ｏを有するケースである収納部２２と、収納部２２をユーザの手首に装着するバンドである装着部２３と、被筆記部２１に連結されたフック２４と、被筆記部２１を巻き取るための巻き取り機構２５と、巻き取り機構２５による付勢を抑制する抑制機構２６と、筆記具２７と、後述する記憶部２８と、後述する表示部２９と、後述する生体特徴データ生成部３０と、後述する本人認証部３１とを備えている。
【００９０】
なお、収納部２２、装着部２３、フック２４、巻き取り機構２５および抑制機構２６は、上述した第１実施形態のメモ用具１が備える収納部１２、装着部１３、フック１４、巻き取り機構１５および抑制機構１６と同様の構成を有している。
【００９１】
被筆記部２１は、筆記動作における筆跡を認識し、認識した筆跡を示す筆跡データを生成するセンサである筆跡データ生成部２１１を有する。なお、筆跡データ生成部２１１は抵抗膜方式、電磁誘導方式、静電容量方式など、閾値以上の圧力が加えられている二次元上の位置を感知するセンサであり、巻き取りに要する柔軟性を持たせることが可能ないずれの方式のセンサであってもよい。
【００９２】
筆記具２７は、被筆記部２１に対する閾値以上の加圧を容易とするように、その先端が丸みを帯びたペン先の形状をしている。そして、ユーザが筆記具２７を用いて被筆記部２１に対し筆記動作を行うと、筆記具２７の先端により筆跡データ生成部２１１に閾値以上の圧力が加えられながらその位置が順次移動するため、筆跡データ生成部２１１が筆記具２７の先端の経路上の二次元上の位置を順次感知する。そのように筆跡データ生成部２１１により感知された位置を示す座標データの列が筆跡を示す筆跡データとして筆跡データ生成部２１１により生成される。なお、例えば筆跡データ生成部２１１に電磁誘導方式が採用される場合には筆記具２７としては電子ペンのように、筆跡データ生成部２１１に採用されるセンサの方式に応じて、筆記具２７の構成が決定される。
【００９３】
記憶部２８は、筆跡データ生成部２１１によって生成された筆跡データを記憶する。また、記憶部２８は、本人認証を目的として、正当なユーザの生体固有の生体情報（例えば、指紋）を示す参照用の生体特徴データを記憶する。
【００９４】
表示部２９は、筆跡データ生成部２１１による筆跡データの生成とほぼ同時に筆跡データに従い筆跡を表示するとともに、ユーザの所定の操作による表示要求に応じて記憶部２８に記憶されている筆跡データが示す筆跡を表示する構成部であり、例えば液晶パネルである。より具体的には、例えば薄い矩形板状を有する表示部２９が、収納部２２における手首と接触しない側、すなわち通常の姿勢をとっているユーザが目視可能な側の面に固着される。
【００９５】
生体特徴データ生成部３０は、ユーザの生体からユーザ固有の生体情報（例えば、指紋）を取得し、取得した生体情報を示す生体特徴データを生成するセンサである。
【００９６】
本人認証部３１は、生体特徴データ生成部３０により生成された生体特徴データと、記憶部２８に記憶されている参照用の生体特徴データとを照合し、その照合結果に従い、現在のユーザが正当なユーザであるか否かを判定する。
【００９７】
まお、本人認証部３１の配置位置は任意であるが、例えば生体特徴データとして指紋データが採用される場合には表示部２９の隅に配置されることが望ましい。そのような位置に配置されれば、指紋による本人認証の際、ユーザが容易に指先を本人認証部３１に触れさせることが可能となるためである。
【００９８】
表示部２９は、本人認証部３１により現在のユーザが正当なユーザであると判定された場合に限り、ユーザによる所定の操作に応じて、記憶部２８に記憶されている上述の筆跡データが示す筆跡を表示する。
【００９９】
以上のような構成を有することにより、メモ用具２は、被筆記部２１に書き留められたメモの内容を正当なユーザのみが表示部２９上で閲覧可能となり、情報セキュリティの観点から望ましい。
【０１００】
以下、本実施形態の変形例について説明する。なお、当該説明においては、本実施形態との差異を中心に記述する。
【０１０１】
（変形例１）
本変形例においては、被筆記部２１が筆跡データ生成部２１１に加え、筆跡データ生成部２１１と層状に配置された、もしくは筆跡データ生成部２１１と一体に配置された、表示パネルを有している。なお、被筆記部２１が備える表示パネルの方式は有機ＥＬパネル等、巻き取りに要する柔軟性を持たせることが可能ないずれの方式が採用されてもよい。
【０１０２】
被筆記部２１はユーザによる筆記動作に伴い、筆跡データ生成部２１１による筆跡データの生成とほぼ同時に、生成された筆跡データに従って筆跡を表示パネルに表示させる。その結果、ユーザは紙に鉛筆等の筆記具を用いて筆記を行う場合と同様に、自分の筆記動作に伴い生成される筆跡を即時に確認しながら筆記動作を継続することができる。
【０１０３】
［３．変形例］
上述した第１実施形態および第２実施形態は、上述した各々の変形例の他にも、本発明の技術的思想の範囲内で様々に変形可能である。
【０１０４】
例えば、上述したメモ用具１の各要素の長さ、距離、および形状はあくまでも一例であり、本発明を限定するものではない。したがって、例えば収納部１２の形状を直方体状ではなく卵状の形状とするなど、様々な変更が可能である。
【０１０５】
また、被筆記部１１は、収納部１２に収納された状態からいかなる方向に引き出されて使用されてもよい。例えば、収納部１２がユーザの手首に装着された状態において、被筆記部１１がユーザの手首の円周方向に引き出されてもよい。そのような場合、被筆記部１１の端部に設けられた第１の係合部が、収納部１２における開口部Ｏが配置されている側部に対向する側部に設けられた第２の係合部と係合することによって、被筆記部１１がユーザの手首の上において安定する構成が採用されることが望ましい。なお、第１の係合部および第２の係合部としては、例えば、スナップボタンや面ファスナー等が考えられるが、本発明はこれに限定されるものではない。
【０１０６】
また、装着部１３は、腕時計のバンドに用いられるような合成樹脂製のバンドであるとしたが、収納部１２をユーザの手首に装着する機能を有するものであれば、いかなる素材や構成が採用されてもよい。例えば、ユーザの皮膚に対し十分な粘着性を有し無害であれば、収納部１２の裏面に貼られた両面テープのような単なる粘着体であってもよい。
【０１０７】
また、フック１４は、一方の端部が被筆記部１１に連結されており、他方の端部がユーザの指の間に挟むことが可能なように先端が膨らんだような形状を有しているとしたが、本発明はこれに限定されるものではない。例えば、先端が膨らんだような形状である代わりに「Ｔ」字形状が採用されてもよい。また、フック１４の先端を鉤爪のような形状とすることで、ユーザの指に装着されている指輪等に係止可能としてもよい。
【０１０８】
また、フック１４を環状の紐とし、ユーザのいずれかの指に直接、係止可能としてもよい。また、フック１４をストラップとその先に取り付けられた小型のマスコットや装飾玉のように構成し、ユーザが好みに応じてフック１４を取り替え可能としてもよい。さらに、特に問題がなければ、フック１４は設けられなくてもよい。
【０１０９】
また、フック１４の先端の部分を残して他の部分が被筆記部１１とともに巻き取り機構１５により収納部１２内に巻き取られる構成が採用されてもよい。その場合、被筆記部１１の不使用時にフック１４がさほど邪魔とならず便利である。
【０１１０】
また、フック１４は合成樹脂製であるとしたが、その他の素材によって作られていてもよい。
【０１１１】
また、巻き取り機構１５は、特に問題がなければ設けられなくてもよい。ただし、巻き取り機構１５が設けられなければ、被筆記部１１の長手方向の長さは収納部１２のサイズによって制約を受けることとなる。
【０１１２】
また、抑制機構１６は、巻き取り機構１５による巻き取りの付勢を抑制するための機構であれば、いかなる機構が採用されてもよい。また、特に問題がなければ、抑制機構１６は設けられなくてもよい。抑制機構１６が設けられない場合、ユーザは筆記時にはフック１４を指の間に挟むことで巻き取りの付勢に抗い、筆記が完了すると単にフック１４を指の間から解放することによりロック解除のボタンの押下を要することなく、被筆記部１１を収納部１２内に収納させることができる。
【０１１３】
また、筆記具１７は収納部１２の外側面に設けられた中空状の円筒によりメモ用具１に保持されるものとしたが、本発明はこれに限定されるものではない。例えば、中空上の円筒を収納部１２の内部に配置させ、不使用時の筆記具１７を収納部１２の内部に収納可能としてもよい。また、特に問題がなければ、筆記具１７は設けられなくてもよい。
【０１１４】
また、メモ用具１が時計１８に代えて、もしくは加えて、電卓もしくはタイマーを備えるようにしてもよい。さらに、メモ用具１がそれら以外の機能を有するデバイス（電子デバイスに限られない）を備えるようにしてもよい。
【０１１５】
また、収納部１２は、時計、電卓、およびタイマーに代表される各種デバイス（電子デバイスに限られない）を着脱可能に保持する保持機構を有していてもよい。その場合、ユーザはモジュールとして提供される各種デバイスのうち自分の好みやニーズにあったものを選択して収納部１２に取り付けることにより、より快適にメモ用具１を使用することができる。
【０１１６】
また、上述した第１実施形態の説明において記載したメモ用具１の使用方法はあくまでも一例であり、本発明はこれに限定されるものではない。
【０１１７】
また、上述した第２実施形態において、筆記具２７の先端が筆跡データ生成部２１１の表面を擦ることにより筆跡データ生成部２１１が筆記具２７の筆記動作から筆跡を認識するものとしたが、例えば筆跡データ生成部２１１として静電容量方式のセンサが採用される場合などは筆記具２７の先端が筆跡データ生成部２１１の表面から一定距離以内に近づけば、必ずしもそれらが触れ合わなくとも筆跡の認識が可能である。そのような構成のメモ用具もまた、本発明の範囲内である。
【０１１８】
また、メモ用具２における生体特徴データ生成部３０および本人認証部３１は、特に問題がなければ設けられなくてもよい。
【産業上の利用可能性】
【０１１９】
本発明にかかるメモ用具は、看護師、ツアーコンダクター等の一部の業種の従業員に限られず、一般の人にとっても手軽にメモをとることを可能とする便利なツールである。従って、数多く生産販売され、いわゆる製造業に貢献することが期待される。
【符号の説明】
【０１２０】
１…メモ用具、１１…被筆記部、１１１…紙、１１２…ベースシート、１１３…ロール紙、１１４…ホワイトボードシート、１２…収納部、１３…装着部、１４…フック、１５…巻き取り機構、１６…抑制機構、１７…筆記具、１８…時計、１９…紙切り具、２…メモ用具、２１…被筆記部、２１１…筆跡データ生成部、２２…収納部、２３…装着部、２４…フック、２５…巻き取り機構、２６…抑制機構、２７…筆記具、２８…記憶部、２９…表示部、３０…生体特徴データ生成部、３１…本人認証部
【図１】
0005608393.tif 000002
【図２】
0005608393.tif 000003
【図３】
0005608393.tif 000004
【図４】
0005608393.tif 000005
【図５】
0005608393.tif 000006
【図６】
0005608393.tif 000007
【図７】
0005608393.tif 000008